(57)【要約】【課題】増毛用毛材として天然の毛材を用いた定着率の高い結毛材及び結毛方法を開発する。【解決手段】キューティクルを剥離除去した天然毛を毛材とし、該毛材をＵ字形に２つ折りし先端にＵ字部を形成し、２本部分で湾曲して互いに一巻きさせて交差して自毛挿通用のループを作り、自由端側を前記Ｕ字部に挿通し、ループに自毛を通して、前記自由端側を引き絞ることにより、毛材を自毛に結着する毛材結着方法。【選択図】図１
2014118650.tif 000002
【特許請求の範囲】
【請求項１】
キューティクルを剥離除去した天然毛を毛材とし、該毛材をＵ字形に２つ折りし先端にＵ字部を形成し、２本部分で湾曲して互いに一巻きさせて交差して自毛挿通用のループを作り、自由端側を前記Ｕ字部に挿通し、ループに自毛を通して、前記自由端側を引き絞ることにより、毛材を自毛に結着することを特徴とする毛材結着方法。
【請求項２】
自由端側を前記Ｕ字部に挿通し、さらにその後自由端側を折り返してループを通過した部分と交差させた後に、前記自由端側を引き絞ることにより、毛材を自毛に結着することを特徴とする請求項１記載の毛材結着方法。
【請求項３】
キューティクルを剥離除去した天然毛の毛材は、引っ張り強度が１００ｇ／本以上であることを特徴とする請求項１又は２記載の毛材結着方法。
【請求項４】
毛材の結着位置よりも上方において、自毛による結びコブを設けたことを特徴とする請求項１から３のいずれかに記載の毛材結着方法。
【請求項５】
キューティクルを剥離除去した天然毛を毛材とし、該毛材をＵ字形に２つ折りし先端にＵ字部を形成し、２本部分で湾曲して互いに一巻きさせて交差して自毛挿通用のループ１を作り、自由端側を前記Ｕ字部に挿通したことを特徴とする結毛材。
【請求項６】
自由端側を前記Ｕ字部に挿通し、さらにその後自由端側を折り返してループを通過した部分と交差させたことを特徴とする請求項５記載の結毛材。
【請求項７】
毛材がキューティクルを機械的に剥離させた天然毛であることを特徴とする請求項４又は請求項６記載の結毛材。
【請求項８】
キューティクルを剥離除去した天然毛を毛材は、引っ張り強度が１００ｇ／本以上であることを特徴とする請求項５〜７のいずれかに記載の結毛材。
【発明の詳細な説明】
【技術分野】
【０００１】
本発明は、頭部の自毛に天然毛髪を結束固着する技術に関する。
【背景技術】
【０００２】
脱毛により頭髪の薄毛になった場合、かつらの装着や残っている自毛を基礎にして人工の毛材を結着して増毛する方法が提案されている。増毛法は、頭髪の自毛に対して合成繊維の人工毛を結び付け１本の自毛に対して１本乃至複数本の人工毛を増毛する増毛法がある。増毛にあたっては、緩まない結着方法や作業性に鑑みて、多数の提案がなされている。
例えば、特許文献１（特公平７−９６７２２号公報）には、地肌に近い部分に結び目を設けた自毛の、当該結び目と地肌との間に増毛用毛髪を結び付けて、当該増毛用毛髪が前記結び目より先に移動しないようにした増毛法（図８（ａ）参照）、及び、内部に自毛を通すことができる筒状部材の外周面に、増毛用毛髪を当該筒状部材の長手方向に移動可能な状態で結び付けた増毛用具が提案されている。
特許文献２（特許第４５６４１６２号公報）には、１〜２本の幹毛を二つ折にした折返し部に、挿通した自毛を緊締可能な輪部を形成すると共に、当該幹毛の一端側に結び玉を形成し、前記結び玉と前記輪部との間に複数本の増毛用毛髪を二つ折りにして結着する一方、前記幹毛を折り返した他端側には増毛用毛髪は結着しないようにした擬毛材（図８（ｂ）参照）、及び、この擬毛材を自毛に結びつける増毛方法が提案されている。
特許文献３（特開平１０−５３９１０号公報）には、人工毛を折り返して形成した四重ループ内に自毛を根元まで引き入れ、人工毛の両端を左右一直線に緊張させて四重ループを引き絞り、この四重ループの折り曲げと捻りが解除されて、その重ね戻り及びひねり戻りにより復元した最初の二重ループ内に自毛が絡み付いて環状結びを形成し、引き絞って固結された人工毛の二重ループと自毛が互いに絡み合って結着させる増毛法（図８（ｃ）参照）が提案されている。
特許文献４（第２５４９５６５号公報）には、毛髪の基部に、増毛部材の基部を螺線状に巻き付け、ホットメルト接着剤にて接着した増毛用毛髪接着方法（図８（ｄ）参照）が提案されている。
特許文献５（特開２００６−６３４５７号公報）には、自毛の根元に増毛部材を結び付け、その上に自毛に引き解けるようにした結び目を設け、その結び目が引き解けないように増毛部材を含んで締結して、増毛部材の取れることがなく、かつ自毛の成長に対して増毛部材を根元に容易に戻すことのできる増毛法（図８（ｅ）参照）が提案されている。
特許文献６（特開平１１−２１７７１５号公報）には、自毛に、キュ−ティクル付きの増毛用毛髪を、キュ−ティクルが同じ向きとなる様に取り付ける増毛法（図８（ｆ）参照）が提案されている。
増毛には、一般的に人工毛が使用されている。人工毛は、丈夫で軽く、毛が細く多数毛に適し、低コストであるメリットある反面、磨耗による縮れ、撥水性、光沢・反射性、感触など天然の毛髪とは違和感がある。かつらなど、人工毛を主体として用いる場合は、問題は少ないが、自毛に人工毛を結着する増毛法の場合は、天然毛と人工毛が混在することとなるので、違和感が目立ち、不自然となる欠点がある。
一方、天然の毛髪を増毛用毛材として用いる場合は、キューティクルがあるので、二つ折りにして結びつけると、キューティクルが相反することとなり、毛髪が絡まりやすく、くし通りが悪く整髪し難い等の欠点があって、利用がむずかしい。キューティクルの向きを揃えようとすると特許文献６に見られるように、１本ずつ結びつけることとなり、増毛効果が低くなる。また、天然毛は吸湿性があって、結び目が緩みやすく、脱落して、定着性が悪いなどの欠点があった。
しかしながら、本発明者等は、自毛に結びつける増毛用毛材は、自毛と混在してなじみが良く、自然に見える天然毛が適していると考えて、研究開発を続けている。
【先行技術文献】
【特許文献】
【０００３】
【特許文献１】特公平０７−０９６７２２号公報
【特許文献２】特許第４５６４１６２号公報
【特許文献３】特開平１０−０５３９１０号公報
【特許文献４】特許第２５４９５６５号公報
【特許文献５】特開２００６−０６３４５７号公報
【特許文献６】特開平１１−２１７７１５号公報
【発明の概要】
【発明が解決しようとする課題】
【０００４】
本発明は、増毛用毛材として天然の毛材をもちいた定着率の高い結毛材及び結着方法を開発することを目的とする。
【課題を解決するための手段】
【０００５】
本発明は、キューティクルを剥離させた天然毛を増毛用の結毛材として利用し、この結毛材を二つ折りして自毛に結びつけることにより、自然な増毛感を実現した発明であり、結着方法を工夫して脱落し難い結毛方法を実現した発明である。
（１）キューティクルを剥離除去した天然毛を毛材とし、該毛材をＵ字形に２つ折りし先端にＵ字部を形成し、２本部分で湾曲して互いに一巻きさせて交差して自毛挿通用のループを作り、自由端側を前記Ｕ字部に挿通し、ループに自毛を通して、前記自由端側を引き絞ることにより、毛材を自毛に結着することを特徴とする毛材結着方法。
（２）自由端側を前記Ｕ字部に挿通し、さらにその後自由端側を折り返してループを通過した部分と交差させた後に、前記自由端側を引き絞ることにより、毛材を自毛に結着することを特徴とする（１）記載の毛材結着方法。
（３）キューティクルを剥離除去した天然毛の毛材は、引っ張り強度が１００ｇ／本以上であることを特徴とする（１）又は（２）記載の毛材結着方法。
（４）毛材の結着位置よりも上方において、自毛による結びコブを設けたことを特徴とする（１）から（３）のいずれかに記載の毛材結着方法。
（５）キューティクルを剥離除去した天然毛を毛材とし、該毛材をＵ字形に２つ折りし先端にＵ字部を形成し、２本部分で湾曲して互いに一巻きさせて交差して自毛挿通用のループ１を作り、自由端側を前記Ｕ字部に挿通したことを特徴とする結毛材。
（６）自由端側を前記Ｕ字部に挿通し、さらにその後自由端側を折り返してループを通過した部分と交差させたことを特徴とする（５）記載の結毛材。
（７）毛材がキューティクルを機械的に剥離させた天然毛であることを特徴とする（５）又は（６）記載の結毛材。
（８）キューティクルを剥離除去した天然毛の毛材は、引っ張り強度が１００ｇ／本以上であることを特徴とする（５）〜（７）のいずれかに記載の結毛材。
【発明の効果】
【０００６】
キューティクルを剥離した天然毛を増毛用毛材に用いて、二つ折りした状態で自毛に結着することができ、自毛と混交してもキューティクルの向きに制限されずに自然さを保つことができる増毛を実現することができた。天然の毛材を二つ折り状態で自毛に結着できるので、天然毛材であっても、十分な増毛量を確保することができる。
本発明の結着方法により、天然毛材を使用しても、緩みがなく、定着性を高めることができた。予め、本発明の結着方法が適用できる自毛挿通用のループを形成した結毛材を準備することができるので、施術時には自毛と結毛材との締め込み作業を中心に行うことができ、時間の短縮と安定した施術が可能となる。自毛にコブを設けると抜止作用が向上する。
本発明は、自毛に挿通したループを縮小して強く締め付けることにより、結着させる方法である。自毛は屈曲することがないので、結毛によるダメージが少ない。ループを縮小するには、結び目を押さえながら自由端側を引き絞ることによって、実施できるので、自毛を引っ張る必要はない。本発明は、自毛を挿通した後の毛材部分に対して、巻き付きとＵ字部によって形成される結び目によって、緩みが防止される。更に、毛材の自由端側をＵ字部に１回巻き付けることによって、自由端側の引き締めによってＵ字部にひねりが生じ、摩擦力が高まり、一層緩み止め効果を発揮する。
機械的にキューティクルを剥離した天然毛材は、毛材の内部に影響がないので、髪の内部にダメージを与えることなく、風合いと耐久性に優れており、自毛とのなじみが良い。
なお、キューティクルを剥離する方法としては、重亜硫酸ソーダ液  次亜塩素等の化学薬品を使用する手段も知られているが、天然毛材の内部（タンパク質）まで破壊されるため、劣化して、製造や作業の途中で毛切れが発生することがあり、変質と耐久性に問題があって実用化はむずかしかった。
【図面の簡単な説明】
【０００７】
【図１】本発明の結毛材Ａの例。
【図２】本発明の結毛用のループの作成過程を示す図。
【図３】本発明の結毛材Ｂの例。
【図４】本発明の結毛材のセットを示す図。
【図５】結着状態図
【図６】増毛用の天然毛材の例
【図７】定着試験の結果を示すグラフ
【図８】従来例
【図９】従来例
【発明を実施するための形態】
【０００８】
本発明は、機械的にキューティクルを剥離した天然毛を増毛用の毛材に使用する。この毛材を２つ折りにして先端部にＵ字部を形成し、二重にした部分を湾曲させて交差させて自毛挿通用のループを形成し、その後自由端側をＵ字部に通過させて、結毛材を構成する。この結毛材のループに頭部の自毛を挿通して、自由端側を引き絞ることにより、ループは自毛に対してきつく締まり、結着する。これを他の自毛にも繰り返して適用することによって、薄毛部の毛の本数が、増毛されて、薄毛を解消する。
【０００９】
＜結毛態様１＞
結毛材Ａの例を図１に示す。図１に示す結毛材は、結び目の状態を分かり易くするために、緩い状態を示してある。実際には、強く引き締められており、遊びは無い。毛材１の材料として、キューティクルを剥離した天然毛材を毛材１として用いる。結毛材Ａは、ループ２に自毛を挿通して、毛材１の自由端１９側を引いて、ループを小さくして、自毛と結毛材Ａを強く結びつけて、結毛する。自毛と結毛材を複雑に絡み合わせることによって、結合力を発生させるのではなく、ループを引き締めることにより、結毛を維持する方法なので、引き締めたループが緩まないように結び目を構成することが重要である。本発明は、結び目４を構成する毛材１の絡み合わせ方によって、緩みにくい結び目を実現している。
【００１０】
結毛材Ａの作成過程の例を図２に示す。
キューティクルを剥離した天然毛である毛材１を途中から折り返して、Ｕ字部３と自由端１９ａ、１９ｂとするＵ字状に二つ折りした状態とする、（図２（ａ））。
次に、毛材１を長さ方向に回転させて、Ｕ字部３側に小輪部５を形成する。この動作により毛材１は一回交差しているので第１交差部４１ができる（図２（ｂ））。
次に、小輪部５に自由端１９ａ、１９ｂを通す。第２交差部４２、第３交差部４３が生じて、交差部が３箇所できる。交差部４１と交差部４２の間にループ２が形成される。このループ２は自毛が挿通される部分となる。図示では交差部で後ろ側になる毛材を消去し、上になる毛材を実線で示している（図２（ｃ））。この状態でＵ字部３と自由端１９ａ、１９ｂを引き締めると結びができる状態となる。
次に、自由端１９ａ、１９ｂをＵ字部３に通して引き抜く。これによって第４交差部４４が生ずる（図２（ｄ））。
【００１１】
この図２（ｄ）に示された状態は、図１と同様の状況を示している。ここから小輪部５を小さくして各交差部がしっかりと締まるように絞り込むことによって、毛材１は交差部で屈曲されて互いに抑え合う関係になって、緩みが生じない。例えば、図９（ａ）に示される単純なＵ字結びでは、Ｕ字部が動くとすぐに緩んでしまう。その改良型である図９（ｂ）に示される方法でも、Ｕ字部が緩むと締め付け力が弱くなる。これに対して、本発明は、最後に自由端を通すＵ字部が緩んでも、その前の３箇所に交差部によって結びができているので、Ｕ字部の緩みが伝わらない構成である。Ｕ字部自体もこの結びによって緩む余裕が無い状態にされているので、従来例に比べて、緩みに対する抵抗は大きい。したがって、自毛が挿通されるループ２が緩むことなく、結着が維持されるので、定着率が高くなる。特に、天然毛である毛材１は、弾性があり、吸湿性などの性質によって、直線状に復帰する傾向が強いが、本発明の結毛材の構成は、緩み性を有効に防止できることが確認できている。挿通される自毛も結毛材のループに挿通するだけであって、特許文献３（特開平１０−５３９１０号公報）の結毛のように、増毛用毛材と自毛が複雑に屈曲しながら絡み合う構造では無いので、自毛に対するダメージが小さい。
【００１２】
＜結毛態様２＞
本発明の第２実施態様の結毛材の例を図４に示す。
実施態様２は実施態様１を元に更にＵ字部３に自由端１９ａ、１９ｂを通過させる工程を加えたものである。即ち、Ｕ字部３に対して自由端側を一巻きするように通すと、交差部４５、４６が発生する。この状態で自由端側を引き絞るとＵ字部にひねりが発生して、緩みに対する抵抗性が向上する。
【００１３】
＜結毛材＞
利用者の頭髪に対する結毛作業は、毛材１を自毛に当てながらループを作成する作業を行うこともできるが、大量の本数を作成する必要があり、時間と労力、熟練度による品質維持の問題がある。また、利用者を長時間拘束することとなる。このため、ループを残した状態まで加工した結毛材を準備し、自毛を挿通して引き締め、全体の増毛が終了した状態で、整髪すると、時間の節約と品質の維持が容易である。
図４にループを形成した状態の結毛材の準備状態を示す。図１あるいは図３に示した状態で結び目４を引き締めた結毛材Ａを筒状の鞘材８に挿通した状態で準備する。結毛材Ａを１０本、１２本、２０本など特定の本数にセットして供給することによって、需給管理も容易になる。
【００１４】
＜結着作業＞
結着作業は、鞘材８から一本の結毛材Ａ外し、先端のループ２内に自毛Ｈを通して、根本付近で自由端側１９を引いて、ループ２を絞ることによって、結毛材Ａは自毛Ｈにしっかりと結着する（図５（ａ）参照）。この作業を必要本数繰り返して薄毛の頭髪に対して増毛を行う。増毛本数は、ケースによって異なるが、数百本から数千本になり、細かな作業が続くので、職人の作業性と利用者の負担を軽減するために、作業の容易性と拘束時間の短縮が望まれる。本発明は、結毛材の自由端側を引くことで結着できるので、作業が容易であり、時間の短縮と利用者の負担が小さくて済む。また、自毛の成長に伴い結着部分が浮き上がったり、自毛が脱落するので、１ヶ月程度でケアが必要となる。作業性の簡便化は、利用者の拘束時間を短縮できる。
また、一本の自毛に複数の結毛材Ａを結着することも可能である。２本に分かれている結毛材の一方に、新たに結毛材Ａを結着して、一本の自毛に２本以上の増毛を施すことも可能である。本発明の結毛材Ａは、天然毛であっても、キューティクルを剥離したので、折り返して２本単位の増毛が可能となった。
変形として、自毛に玉結びをしてコブを形成することにより、結毛材が滑って抜け落ちることを防止する手段（図５（ｂ）参照）を付加することもできる。自毛の玉結びと根本の間に結毛作業をすることによって、結び目が抵抗となって抜落ちの防止効果がある。
毛髪は自然と抜け落ちるので、そのケアも含めて、１、２ヶ月の間隔で、美容院を訪れて、補植する必要がある。特に、薄毛の進行に伴い脱落による変化が大きいので、ケアの回数が多くなる傾向にある。
本発明は、ループに自毛が通されている状態なので、自毛が伸びて、結毛箇所が浮き上がった場合には、根本側にスライドさせることが可能である。他方、特許文献３、５に開示された方法では、一旦結び目を解き、再度、結び直す必要がある。解き動作は、結毛より手間がかかり、ケアは美容室で行うが、再度結毛する手間暇が倍以上必要である。利用者の負担が大きく、普及の障害である。また、特許文献４はホットメルト接着剤で接着してしまうので、自毛の伸びに対して、やり直すことはできない。
あるいは、鞘材８の筒内に自毛を挿通し、先端の結毛材Ａを自毛の根本側に移行し、その状態で結び目を押さえながら引っ張ることで、ループが引き絞り、自毛を強く引き締めて結着が終了する方法も採用することができる。
【００１５】
［キューティクルの機械的剥離処理について］
本発明は、天然毛を毛材として使用するものである。天然の人毛はキューティクル（図６（ｂ）参照）によって方向性があり、二つ折りすると相互に干渉して、絡み合って、くし通りが悪く、整髪も不自然となるので、そのままでは利用が困難であった。
本発明では、キューティクルを剥離することによって、この問題を解消する。特に、その剥離処理として機械的な摩耗によって、キューティクルを削除する方法を採用した。方向を揃えた人毛を準備し、毛先側を押さえて、ヤスリなどでグラインダー処理することにより、キューティクルを削り取ることができる。あるいは、毛先側を押さえて、紙ヤスリなどの研磨材で上下から挟み込み、根本側にしごくことによって、キューティクルを削除する方法などもある。押さえた毛先部分は切り落とす。
キューティクルの削除状態（図６（ａ）参照）は、完全に削除する必要はなく、髪質などを考慮して、程度を加減することができることは言うまでも無い。
【００１６】
［定着試験１］
１．試験方法
（１）対象結毛手段
本発明の実施態様１を本例１、実施態様２を本例２とし、従来例１（図９）の３種類の結毛手段を用いた。毛材はキューティクルを機械的に剥離した天然毛材を用いている。
（２）試験対象者  
４０代のやや薄毛の男性２名（Ａ、Ｂ）を対象にした。
（３）定着率試験
増毛した結毛が残っている本数を対前月比で算出して定着率とした。
試験期間は、１月間から８月間行った。本例１については１ヶ月間、本例２については８ヶ月間、従来例については２ヶ月間である。
１ヶ月毎にケアを行った。ケアするときに、残っている結毛材の本数を数えて、前回ケア作業終了時の結毛本数に対する残存本数によって、定着率を算出した。
ケア作業は、自毛の成長などによって浮き上がった結着箇所を根本側に移動して、締め直し、補植が必要な箇所には、新たな結毛作業を施す。前回からの残存本数と新たに補植した本数が、次回の定着率算出の基礎本数となる。
試験結果を表１に示す。本例２及び従来例に関する定着率の推移を、グラフ化して図７に示す。なお、従来例では、定着率が１０％台ととても低かったので、ケアを２回行った時点で、終了することとした。
【００１７】
【表１】
2014118650.tif 000003
【００１８】
＜考察＞
この定着率試験の結果、本例２は５４〜７３％の定着率であった。本例１は１月経過後で４５％、３５％であった。従来例は、１０％、１４％である。
この結果、本例１は従来例に対して、２〜４倍の定着率改善が確認された。本例２は、従来例に対して、４〜７倍の定着率の改善を発揮した。被験者Ａについては、本例２は本例１よりも、平均で１．３６倍の定着率を発揮した。被験者Ｂについては、本例２は本例１よりも平均で１．９１倍の定着率を発揮した。
本例２については、概ね６０％台の定着率を示しており、従来例に比して非常に大きな改善が認められる結果である。  
この定着率の差は、ケアによって補植する本数にも影響するので、単純な残存本数以上にケア作業の時間、費用にも大きく影響する。本発明は、定着率が向上し、増毛処理による頭髪の変化が小さいので、第三者に気づかれにくく、ケア負担も小さくすることができる。
【００１９】
［結毛材品質試験］
（１）試験方法
ストロー状の鞘体に１０本の結毛材を取り付けて１セットを構成した。この１セットから結毛材を外した時に緩みが生じるなど結着作業に適していない結毛材を潰れた本数として調べた。つぶれた結毛材は、自毛に挿通できないか、挿通しても抜け易いので使用できない。結果を表２に示す。
【００２０】
【表２】
2014118650.tif 000004
【００２１】
＜考察＞
本例は、２００本のサンプル中不良品が３本であったので、不良品率は１．５％であるのに対して、従来例では、不良品が１７本であるので、不良品率は８．５％と大きな差があることが確認された。
【００２２】
［毛材強度試験］
本発明で使用する機械的にキューティクルを剥離した人毛と市販されている化学的処理によってキューティクルを剥離した人毛について、引っ張り強度試験を行った。無処理の通常の毛髪は、一般的に１００〜１５０ｇの対引っ張り強度があるとされている。結果を表３に示す。
【００２３】
【表３】
2014118650.tif 000005
【００２４】
＜考察＞
化学的処理によるキューティクル剥離処理毛材は、通常の半分程度の強度になっており、くしなどの整髪によって、切れ易いことがわかる。
これに対して、本発明で使用する機械的剥離毛材は、通常に対して９０％程度の強度を維持しており、一般の整髪作業による毛切れなど危険が少ないことが確認された。
【符号の説明】
【００２５】
１  毛材
１９  自由端
１９ａ、１９ｂ  自由端
２  ループ
３  Ｕ字部
４  結び目
４１  第１交差部
４２  第２交差部
４３  第３交差部
４４  第４交差部
４５  第５交差部
４６  第６交差部
５  小輪部
６  コブ
８  鞘材
Ａ  結毛材
Ｈ  自毛
【図１】
2014118650.tif 000006
【図２】
2014118650.tif 000007
【図３】
2014118650.tif 000008
【図４】
2014118650.tif 000009
【図５】
2014118650.tif 000010
【図８】
2014118650.tif 000011
【図９】
2014118650.tif 000012
【図６】
2014118650.tif 000013
【図７】
2014118650.tif 000014
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
キューティクルを剥離除去した天然毛を毛材とし、該毛材をＵ字形に２つ折りし先端にＵ字部を形成し他端側を自由端とし、２本部分を湾曲して小輪を形成し、該小輪に自由端側を挿入し、小輪を形成した交差部と自由端側が小輪と交差した部分によって自毛挿通用のループを作り、その後自由端側を前記Ｕ字部に挿通し、ループに自毛を通して、前記自由端側を引き絞ることにより、毛材を自毛に結着することを特徴とする毛材結着方法。
【請求項２】
Ｕ字部に挿通した前記自由端側を、さらにその後自由端側を折り返してＵ字部のループに挿入して、挿入した部分とＵ字部のループとを交差させた後に、前記自由端側を引き絞ることにより、毛材を自毛に結着することを特徴とする請求項１記載の毛材結着方法。
【請求項３】
キューティクルを剥離除去した天然毛の毛材は、引っ張り強度が１００ｇ／本以上であることを特徴とする請求項１又は２記載の毛材結着方法。
【請求項４】
毛材の結着位置よりも上方において、自毛による結びコブを設けたことを特徴とする請求項１から３のいずれかに記載の毛材結着方法。
【請求項５】
キューティクルを剥離除去した天然毛を毛材とし、該毛材をＵ字形に２つ折りし先端にＵ字部を形成し他端側を自由端とし、２本部分を湾曲して小輪を形成し、該小輪に自由端側を挿入し、小輪を形成した交差部と自由端側が小輪と交差した部分によって自毛挿通用のループを作り、自由端側を前記Ｕ字部に挿通したことを特徴とする結毛材。
【請求項６】
Ｕ字部に挿通した前記自由端側を、さらにその後自由端側を折り返してＵ字部のループに挿入して、挿入した部分とＵ字部のループとを交差させたことを特徴とする請求項５記載の結毛材。
【請求項７】
毛材がキューティクルを機械的に剥離させた天然毛であることを特徴とする請求項５又は請求項６記載の結毛材。
【請求項８】
キューティクルを剥離除去した天然毛である毛材は、引っ張り強度が１００ｇ／本以上であることを特徴とする請求項５〜７のいずれかに記載の結毛材。
【手続補正２】
【補正対象書類名】明細書
【補正対象項目名】０００５
【補正方法】変更
【補正の内容】
【０００５】
本発明は、キューティクルを剥離させた天然毛を増毛用の結毛材として利用し、この結毛材を二つ折りして自毛に結びつけることにより、自然な増毛感を実現した発明であり、結着方法を工夫して脱落し難い結毛方法を実現した発明である。
（１）キューティクルを剥離除去した天然毛を毛材とし、該毛材をＵ字形に２つ折りし先端にＵ字部を形成し他端側を自由端とし、２本部分を湾曲して小輪を形成し、該小輪に自由端側を挿入し、小輪を形成した交差部と自由端側が小輪と交差した部分によって自毛挿通用のループを作り、その後自由端側を前記Ｕ字部に挿通し、ループに自毛を通して、前記自由端側を引き絞ることにより、毛材を自毛に結着することを特徴とする毛材結着方法。
（２）Ｕ字部に挿通した前記自由端側を、さらにその後自由端側を折り返してＵ字部のループに挿入して、挿入した部分とＵ字部のループとを交差させた後に、前記自由端側を引き絞ることにより、毛材を自毛に結着することを特徴とする（１）記載の毛材結着方法。
（３）キューティクルを剥離除去した天然毛の毛材は、引っ張り強度が１００ｇ／本以上であることを特徴とする（１）又は（２）記載の毛材結着方法。
（４）毛材の結着位置よりも上方において、自毛による結びコブを設けたことを特徴とする（１）から（３）のいずれかに記載の毛材結着方法。
（５）キューティクルを剥離除去した天然毛を毛材とし、該毛材をＵ字形に２つ折りし先端にＵ字部を形成し他端側を自由端とし、２本部分を湾曲して小輪を形成し、該小輪に自由端側を挿入し、小輪を形成した交差部と自由端側が小輪と交差した部分によって自毛挿通用のループを作り、自由端側を前記Ｕ字部に挿通したことを特徴とする結毛材。
（６）Ｕ字部に挿通した前記自由端側を、さらにその後自由端側を折り返してＵ字部のループに挿入して、挿入した部分とＵ字部のループとを交差させたことを特徴とする（５）記載の結毛材。
（７）毛材がキューティクルを機械的に剥離させた天然毛であることを特徴とする（５）又は（６）記載の結毛材。
（８）キューティクルを剥離除去した天然毛である毛材は、引っ張り強度が１００ｇ／本以上であることを特徴とする（５）〜（７）のいずれかに記載の結毛材。
【手続補正３】
【補正対象書類名】明細書
【補正対象項目名】００１２
【補正方法】変更
【補正の内容】
【００１２】
＜結毛態様２＞
本発明の第２実施態様の結毛材Ｂの例を図３に示す。
実施態様２は実施態様１を元に更にＵ字部３に自由端１９ａ、１９ｂを通過させる工程を加えたものである。即ち、Ｕ字部３に対して自由端側を一巻きするように通すと、交差部４５、４６が発生する。この状態で自由端側を引き絞るとＵ字部にひねりが発生して、緩みに対する抵抗性が向上する。
【手続補正４】
【補正対象書類名】図面
【補正対象項目名】図３
【補正方法】変更
【補正の内容】
【図３】
2014118650.tif 000015